【手続補正書】
【提出日】平成21年7月2日(2009.7.2)
【手続補正１】
【補正対象書類名】特許請求の範囲
【補正対象項目名】全文
【補正方法】変更
【補正の内容】
【特許請求の範囲】
【請求項１】
光源手段から射出された光束を結像させる第１の光学系と、前記第１の光学系からの光束を偏向走査する偏向手段と、前記偏向手段で偏向走査された光束を被走査面の上に結像させる第２の光学系と、前記偏向手段の偏向面にて偏向走査された光束の一部を前記被走査面の上の光束の走査開始位置のタイミングを決定する同期検知信号として検出する同期信号検出手段と、前記偏向手段の偏向面にて偏向走査された光束の一部を前記同期信号検出手段に導光する同期検知光学系と、を有する光走査装置であって、
前記同期検知光学系は、副走査方向の光束の光束幅を制限する光束制限手段を有し、
前記光源手段から前記同期信号検出手段に至る光路中に反射ミラーを有し、前記光束制限手段は、前記同期信号検出手段に最も近い反射ミラーと前記同期信号検出手段の間の光路中に配置されていることを特徴とする光走査装置。
【請求項２】
前記同期検知光学系は、少なくとも前記第２の光学系とは異なる独立した同期検出結像手段を前記光束制限手段と前記同期信号検出手段の間の光路中に有していることを特徴とする請求項１に記載の光走査装置。
【請求項３】
前記同期検知光学系は、前記偏向手段の偏向面にて偏向走査され前記同期信号検出手段に向かう光束の光路を分離するための光路分離反射手段を、前記偏向手段と前記光束制限手段の間の光路中に有していることを特徴とする請求項２に記載の光走査装置。
【請求項４】
前記同期検出結像手段は、主走査方向と副走査方向のパワーが異なるアナモフィック光学系を有し、前記アナモフィック光学系の主走査方向の焦点距離をＦ＿ａｍ，副走査方向の焦点距離をＦ＿ａｓとするとき、
Ｆ＿ａｍ＞Ｆ＿ａｓ＞０
なる条件を満足することを特徴とする請求項２に記載の光走査装置。
【請求項５】
前記同期検出結像手段の副走査方向の屈折力は、前記偏向手段から前記同期信号検出手段に至る光学素子の中で最大であることを特徴とする請求項２に記載の光走査装置。
【請求項６】
前記光束制限手段と前記同期信号検出手段が副走査断面内に共役となるように前記同期検出結像手段が配置されていることを特徴とする請求項２に記載の光走査装置。
【請求項７】
前記光源手段から前記同期信号検出手段に至る反射面の数をＮとし、前記光束制限手段から前記同期検出結像手段に至る光路に沿った距離をＳ１、前記同期検出結像手段から前記同期信号検出手段に至る光路に沿った距離をＬ、前記同期検出結像手段の副走査方向の焦点距離をＦ＿ａｓ、前記同期信号検出手段の副走査方向の受光領域の巾をＷとするとき、
｜（Ｓ１／Ｆ＿ａｓ−１）×Ｌ−Ｓ１｜≦２５０×Ｗ／３／Ｎ
なる条件を満足することを特徴とする請求項２に記載の光走査装置。
【請求項８】
前記偏向手段から前記光束制限手段に至る光路に沿った距離をＳ０、前記光束制限手段から前記同期検出結像手段に至る光路に沿った距離をＳ１、前記同期検出結像手段から同期信号検出手段に至る光路に沿った距離をＬ、前記同期検出結像手段の副走査方向の焦点距離をＦ＿ａｓ、前記同期信号検出手段の副走査方向の受光領域の巾をＷ
前記光束制限手段の副走査方向の巾をＷａｐとするとき、
Ｗａｐ×〔（Ｌ／Ｆ＿ａｓ−１）×（Ｓ０＋Ｓ１）―Ｌ〕／Ｓ０≦Ｗ
なる条件を満足することを特徴とする請求項２に記載の光走査装置。
【請求項９】
前記同期信号検出手段と前記光束制限手段の少なくとも１つは、副走査断面内で傾けられていることを特徴とする請求項１に記載の光走査装置。
【請求項１０】
前記第１の光学系は、主走査断面内において、前記光源手段から発せられた光束を前記偏向手段の偏向面の幅より光束幅が広い平行光束に変換していることを特徴とする請求項１に記載の光走査装置。
【請求項１１】
前記光源手段は複数の発光点を有しており、前記複数の発光点のうち少なくとも２つの光束が前記同期信号検出手段に導かれ、前記同期検知信号の発生に用いられていることを特徴とする請求項１から１０の何れか１項に記載の光走査装置。
【請求項１２】
前記光源手段を複数有し、各光源手段から射出された光束は、前記偏向手段の偏向面に導光されており、前記偏向手段で偏向走査された複数の光束は、光束ごとに設けられた複数の被走査面の上に結像させており、前記偏向手段で偏向走査された複数の光束のうち、少なくとも１つの光束が前記同期検知光学系に導光されていることを特徴とする請求項１から１１の何れか１項に記載の光走査装置。
【請求項１３】
前記複数の光源手段から前記複数の被走査面に至る光路上に設けられた反射面の数が一番少ない光路に対応する光源手段からの光束を前記同期検知光学系により前記同期信号検出手段に導いていることを特徴とする請求項１２に記載の光走査装置。
【請求項１４】
請求項１から１３の何れか１項に記載の光走査装置と、前記被走査面に配置された感光ドラムと、前記光走査装置で走査された光ビームによって前記感光ドラムの上に形成された静電潜像をトナー像として現像する現像器と、現像されたトナー像を被転写材に転写する転写器と、転写されたトナー像を被転写材に定着させる定着器とを有することを特徴とする画像形成装置。
【請求項１５】
請求項１から１３の何れか１項に記載の光走査装置と、外部機器から入力したコードデータを画像信号に変換して前記光走査装置に入力せしめるプリンタコントローラとを有していることを特徴とする画像形成装置。
【手続補正２】
【補正対象書類名】明細書
【補正対象項目名】００３８
【補正方法】変更
【補正の内容】
【００３８】
請求項１の発明の光走査装置は、光源手段から射出された光束を結像させる第１の光学系と、前記第１の光学系からの光束を偏向走査する偏向手段と、前記偏向手段で偏向走査された光束を被走査面の上に結像させる第２の光学系と、前記偏向手段の偏向面にて偏向走査された光束の一部を前記被走査面の上の光束の走査開始位置のタイミングを決定する同期検知信号として検出する同期信号検出手段と、前記偏向手段の偏向面にて偏向走査された光束の一部を前記同期信号検出手段に導光する同期検知光学系と、を有する光走査装置であって、
前記同期検知光学系は、副走査方向の光束の光束幅を制限する光束制限手段を有し、
前記光源手段から前記同期信号検出手段に至る光路中に反射ミラーを有し、前記光束制限手段は、前記同期信号検出手段に最も近い反射ミラーと前記同期信号検出手段の間の光路中に配置されていることを特徴としている。
【手続補正３】
【補正対象書類名】明細書
【補正対象項目名】００４９
【補正方法】変更
【補正の内容】
【００４９】
請求項１２の発明は請求項１から１１の何れか１項の発明において、前記光源手段を複数有し、各光源手段から射出された光束は、前記偏向手段の偏向面に導光されており、前記偏向手段で偏向走査された複数の光束は、光束ごとに設けられた複数の被走査面の上に結像させており、前記偏向手段で偏向走査された複数の光束のうち、少なくとも１つの光束が前記同期検知光学系に導光されていることを特徴としている。
【手続補正４】
【補正対象書類名】明細書
【補正対象項目名】００５１
【補正方法】変更
【補正の内容】
【００５１】
請求項１４の発明の画像形成装置は、請求項１から１３の何れか１項に記載の光走査装置と、前記被走査面に配置された感光ドラムと、前記光走査装置で走査された光ビームによって前記感光ドラムの上に形成された静電潜像をトナー像として現像する現像器と、現像されたトナー像を被転写材に転写する転写器と、転写されたトナー像を被転写材に定着させる定着器とを有することを特徴としている。
【手続補正５】
【補正対象書類名】明細書
【補正対象項目名】００５３
【補正方法】削除
【補正の内容】
【手続補正６】
【補正対象書類名】明細書
【補正対象項目名】００５４
【補正方法】削除
【補正の内容】
【手続補正７】
【補正対象書類名】明細書
【補正対象項目名】０１４５
【補正方法】変更
【補正の内容】
【０１４５】
本実施例においては、光源手段を複数有している光源手段１Ａ、１Ｂから光偏向器６に至る第１の光学系及び第１の結像レンズ７１と第２の結像レンズ７２Ａ，７２Ｂからなる結像光学系７は実施例１と同様のものであり、その諸元は表１、表２に示される。